【事件の表示】
　特許第３２５５６９４号「組付け網戸装置」の請求項１ないし３に係る特許に対する特許異議の申立てについて、次のとおり決定する。
【結　論】
　訂正を認める。
　特許第３２５５６９４号の請求項１に係る特許を維持する。
【理　由】
〔１〕手続の経緯
　本件第３２５５６９４号発明についての出願は、平成４年３月１２日に特許出願され、平成１３年１１月３０日にその発明について特許権の設定登録がなされ、その後、古橋由季子より、その請求項１〜３に係る発明についての特許に対し特許異議の申立てがなされ、平成１５年１月７日付けで取消理由が通知され、その指定期間内の平成１５年３月２４日付けで訂正請求がされるとともに意見書が提出され、再度、平成１５年５月９日付けで取消理由が通知され、平成１５年７月２２日付けで訂正請求がされるとともに意見書が提出された。
　なお、平成１５年３月２４日付けの訂正請求は、取り下げられた。
　
〔２〕訂正請求について
１　訂正請求の内容
　本件訂正請求の趣旨は、特許第３２５５６９４号の明細書を訂正請求書に添付した訂正明細書のとおり訂正することを求めるものであり、訂正事項は以下のとおりである。
　訂正事項ａ
　明細書の特許請求の範囲の記載
「【請求項１】建物の窓部等の開口枠に組付けられる左右横方向にそれぞれ開閉移動可能な第１及び第２の可動部材を備え、これら第１及び第２の可動部材間に、前記第１及び第２の可動部材の開閉移動に追従して折畳み伸縮自在なプリーツ状の網目部材を設けた組付け網戸装置であって、
前記第１及び第２の可動部材の少なくともいずれか一方に、前記第１及び第２の可動部材の閉時における網目部材を折畳み状態で収納可能にしたことを特徴とする組付け網戸装置。
【請求項２】第１及び第２の可動部材に、移動方向の揺動を防止するワイヤーテンション機構を設けたことを特徴とする請求項１に記載の組付け網戸装置。
【請求項３】ワイヤーテンション機構は、第１の固定部材と第２の固定部材との間に第１及び第２の可動部材を間に存して掛け渡される少なくとも１本本のワイヤーからなることを特徴とする請求項２記載の組付け網戸装置。」
を
「【請求項１】建物の窓部等の開口枠にそれぞれ固定される第１及び第２の固定部材と、
　前記開口枠に組付けられる左右横方向にそれぞれ開閉移動可能な第１及び第２の可動部材を備え、
　これら第１及び第２の可動部材間に、前記第１及び第２の可動部材の開閉移動に追従して折畳み伸縮自在なプリーツ状の網目部材を設けた組付け網戸装置であって、
　前記第１及び第２の可動部材の対向させた収納空間の少なくともいずれか一方に、前記第１及び第２の可動部材の閉時における網目部材を折畳み状態で収納可能にし、
　前記第１及び第２の可動部材に、移動方向の揺動を防止するワイヤーテンション機構を設け、
　該ワイヤーテンション機構は、第１の固定部材と第２の固定部材との間に第１及び第２の可動部材を間に存して掛け渡される少なくとも１本のワイヤーからなることを特徴とする組付け網戸装置。」
と訂正する。
　訂正事項ｂ
　明細書の発明の詳細な説明の段落【０００７】の記載を、
「【課題を解決するための手段】　上記した課題を解決するために、この発明は、建物の窓部等の開口枠にそれぞれ固定される第１及び第２の固定部材と、前記開口枠に組付けられる左右横方向にそれぞれ開閉移動可能な第１及び第２の可動部材を備え、これら第１及び第２の可動部材間に、前記第１及び第２の可動部材の開閉移動に追従して折畳み伸縮自在なプリーツ状の網目部材を設けた組付け網戸装置であって、前記第１及び第２の可動部材の対向させた収納空間の少なくともいずれか一方に、前記第１及び第２の可動部材の閉時における網目部材を折畳み状態で収納可能にし、前記第１及び第２の可動部材に、移動方向の揺動を防止するワイヤーテンション機構を設け、該ワイヤーテンション機構は、第１の固定部材と第２の固定部材との間に第１及び第２の可動部材を間に存して掛け渡される少なくとも１本のワイヤーからなることを特徴とする組付け網戸装置にしたものである。」
と訂正する。
　訂正事項ｃ
　明細書の発明の詳細な説明の段落【００３２】の記載を、
「また、第１及び第２の可動部材に、移動方向の揺動を防止するワイヤーテンション機構を設けてなるために、可動部材の開閉移動操作を円滑に行なえるとともに、可動部材を任意の位置で停止させることができる。」
と訂正する。
　
２　訂正の適否
　訂正事項ａは、訂正前の特許請求の範囲の請求項１において、「開口枠にそれぞれ固定される第１及び第２の固定部材」の構成及び「対向させた収納空間」の構成を加え、訂正前の請求項２及び３に記載されていた構成を加えるとともに、訂正前の請求項２及び３を削除するものであるから、特許請求の範囲の減縮を目的とするものである。
　訂正事項ｂ及びｃは、特許請求の範囲の訂正に伴い、特許請求の範囲の記載と明細書の発明の詳細な説明の記載との整合を図るための訂正であって、明りょうでない記載の釈明を目的とするものである。
　そして、訂正事項ａ〜ｃは、願書に添付した明細書又は図面に記載した事項の範囲内においてなされたものであり、しかも、実質上特許請求の範囲を拡張し、又は変更するものではない。
　したがって、上記訂正事項ａ〜ｃの訂正は、特許法等の一部を改正する法律（平成６年法律１１６号）附則６条１項の規定によりなお従前の例によるとされる、特許法１２０条の４第３項において準用する平成６年法律１１６号による改正前の特許法１２６条１項ただし書及び２項の規定に適合するので、本件訂正を認める。
　
〔３〕特許異議の申立てについて
１　異議申立ての理由の概要
　異議申立人は、請求項１〜３に係る発明についての特許に対し、甲第１号証〜甲第５号証を提出して、請求項１〜３に係る発明は、甲第１号証〜甲第５号証記載の発明に基いて当業者が容易に発明をすることができたものであるから、特許法２９条２項の規定により特許を受けることができないものであり、それらの特許は取り消されるべきである旨主張する。
　甲第１号証：実公昭６４−２９５９号公報
　甲第２号証：実願昭５８−２７３３３号（実開昭５９−１３２８９５号）　　　　　　　のマイクロフィルム
　甲第３号証：特開昭６２−１６４９８８号公報
　甲第４号証：実願昭５８−１４３７１５号（実開昭６０−５１２８６号）　　　　　　　のマイクロフィルム
　甲第５号証：特開昭６２−１４８７９１号公報
　　　
２　本件発明
　上記のとおり明細書の訂正が認められたので、本件請求項１に係る発明（以下、「本件発明」という。）は、訂正明細書の特許請求の範囲の請求項１に記載されたとおりの次のものと認める。
「【請求項１】建物の窓部等の開口枠にそれぞれ固定される第１及び第２の固定部材と、
　前記開口枠に組付けられる左右横方向にそれぞれ開閉移動可能な第１及び第２の可動部材を備え、
　これら第１及び第２の可動部材間に、前記第１及び第２の可動部材の開閉移動に追従して折畳み伸縮自在なプリーツ状の網目部材を設けた組付け網戸装置であって、
　前記第１及び第２の可動部材の対向させた収納空間の少なくともいずれか一方に、前記第１及び第２の可動部材の閉時における網目部材を折畳み状態で収納可能にし、
　前記第１及び第２の可動部材に、移動方向の揺動を防止するワイヤーテンション機構を設け、
　該ワイヤーテンション機構は、第１の固定部材と第２の固定部材との間に第１及び第２の可動部材を間に存して掛け渡される少なくとも１本のワイヤーからなることを特徴とする組付け網戸装置。」
　
３　甲各号証の記載事項
　甲第１号証（取消理由に引用した、引用例１）には、実用新案登録請求の範囲、２欄２４行〜３欄２行、４欄１５〜４３行の記載及び第３図〜第５図によれば、甲第１号証には、
「建物の窓枠に固定される左右の網戸竪枠１７、１８の間に左右横方向に開閉移動可能な可動部材２２を備え、一方の網戸竪枠１７と可動部材２２の間に、可動部材２２の開閉移動に追従してＶ字状に折畳み伸縮自在な網２５を設け、可動部材２２の溝形部２２ａに、可動部材２２の閉時における網２５を折畳み状態で収納可能にした網戸」
が記載されていると認められる。　
　
　甲第２号証（同、引用例２）には、実用新案登録請求の範囲、明細書１頁１０行〜２頁４行、同２頁６〜９行、同４頁１０〜１７行、同５頁１１行〜６頁９行の記載及び第１図〜第３図によれば、
「建物の窓部等の戸開口枠２に組付けられる左右横方向にそれぞれ開閉移動可能な二つの外の支柱５、６を備え、一方の外の支柱５はダボ２１により戸枠１４に取付けられ、他方の外の支柱６は磁石テープ２２により戸開口枠２に取付けられ、これら二つの外の支柱間に、二つの外の支柱の開閉移動に追従して、内の支柱と補助柱に取付けられた個所で折り畳まれる折り畳み伸縮自在な網体１０を設けた網戸」
が記載されていると認められる。
　
　甲第３号証には、８頁左上欄９〜１５行、１５頁左上欄１２行〜右上欄１４行の記載によれば、
「建物の窓部等に組付けられる左右横方向にそれぞれ開閉移動可能な２つの安定化ロッド１１５を備え、これらの２つの安定化ロッド１１５の間に、２つの安定化ロッド１１５の開閉移動に追従して折畳み伸縮自在なプリーツ状の布１１０を設けた垂直ドレープシステム１０５」
が記載されていると認められる。
　
　甲第４号証には、実用新案登録請求の範囲の記載及び第１図〜第３図によれば、
「建物の開口枠に組み付けられる左右横方向にそれぞれ開閉移動可能な第１及び第２の可動部材を備え、第１及び第２の可動部材間に、第１及び第２の可動部材の開閉移動に追従して折り畳み伸縮自在なプリーツ状のカーテンを設けたアコーデオンカーテン」
が記載されていると認められる。
　
　甲第５号証（同、引用例３）には、２頁右上欄３行〜左下欄９行、３頁右上欄１４〜１８行の記載及び第１図〜第３図、第１３図、第１４図によれば、「棒状部材と固定部材３との間に開閉部材４を間に存して、機を介した棒状部材と固定部材３に掛け渡され、稼働部材に、移動方向の振動を防止する、少なくとも１本の紐を使用したテンション機構を設けた手動式プリテツドシエード１」
が記載されていると認められる。　　
　
４　対比・判断
　本件発明と甲第１号証記載の発明とを対比すると、甲第１号証記載の発明の「窓枠」、「左右の網戸竪枠１７、１８」、「網２５」、「網戸」及び「可動部材の溝形部２２ａ」は、それぞれ本件発明の「窓部等の開口枠」、「第１及び第２の固定部材」、「網目部材」、「網戸装置」及び「可動部材の収納部」に相当し、甲第１号証記載の発明の「網２５」は、Ｖ字状に折畳み伸縮自在、つまりプリーツ状に折畳み伸縮自在であるから、両者は、
「建物の窓部等の開口枠に固定される第１及び第２の固定部材と、開口枠に組付けられる左右横方向に開閉移動可能な可動部材を備え、可動部材の開閉移動に追従して折畳み伸縮自在なプリーツ状の網目部材を設けた組付け網戸装置であって、可動部材の収納部に、可動部材の閉時における網目部材を折畳み状態で収納可能にした組付け網戸装置」
である点で一致するものの、以下の点で相違する。
　相違点
　本件発明は、第１及び第２の可動部材を備え、これら第１及び第２の可動部材間に、前記第１及び第２の可動部材の開閉移動に追従して折畳み伸縮自在なプリーツ状の網目部材を設け、第１及び第２の可動部材の対向させた収納空間の少なくともいずれか一方に、網目部材を折畳み状態で収納可能にし、第１及び第２の可動部材に、移動方向の揺動を防止するワイヤーテンション機構を設け、該ワイヤーテンション機構は、第１の固定部材と第２の固定部材との間に第１及び第２の可動部材を間に存して掛け渡される少なくとも１本のワイヤーからなるのに対し、甲第１号証記載の発明は、一つの可動部材を備え、一方の固定部材と可動部材との間に、可動部材の開閉移動に追従して折畳み伸縮自在なプリーツ状の網目部材を設けており、ワイヤーテンション機構を設けていない。
　
　そこで、上記相違点について検討すると、甲第２号証には、網戸において、外の支柱５、６（本件発明の「可動部材」に相当する。）間に、二つの外の支柱の開閉移動に追従して、内の支柱と補助柱に取付けられた個所で折り畳まれる折り畳み伸縮自在な網体１０（同「網目部材」に相当する。）を設けることが記載されているが、本件発明のように、「第１の固定部材と第２の固定部材との間に第１及び第２の可動部材を間に存して」「第１及び第２の可動部材間に、前記第１及び第２の可動部材の開閉移動に追従して折畳み伸縮自在なプリーツ状の網目部材を設け」ることは、記載されていない。
　また、甲第３号証には、垂直ドレープシステム１０５において、２つの安定化ロッド１１５の間に、２つの安定化ロッド１１５の開閉移動に追従して折畳み伸縮自在なプリーツ状の布を設けることが記載され、甲第４号証には、アコーデオンカーテンにおいて、第１及び第２の可動部材間に、第１及び第２の可動部材の開閉移動に追従して折り畳み伸縮自在なプリーツ状のカーテンを設けることが記載され、甲第５号証には、手動式プリテツドシエード１において、棒状部材（同「第１の固定部材」に相当する。）と固定部材３（同「第２の固定部材」に相当する。）との間に開閉部材４（同「可動部材」に相当する。）を間に存して、機を介した棒状部材と固定部材３に掛け渡され、稼働部材に、移動方向の振動を防止する、少なくとも１本の紐を使用したテンション機構が記載されているが、いずれも、相違点における本件発明の構成の一部が示唆されているにすぎない。
　このように、甲第２号証〜甲第５号証のいずれにも、相違点における本件発明の構成のうち、少なくとも、上記「第１の固定部材と第２の固定部材との間に第１及び第２の可動部材を間に存して」「第１及び第２の可動部材間に、前記第１及び第２の可動部材の開閉移動に追従して折畳み伸縮自在なプリーツ状の網目部材を設け」るという構成については、記載されていないし、示唆もされていない。
　そして、本件発明は、上記の構成を有することにより、訂正明細書に記載の「また、第１及び第２の可動部材の開閉移動に追従して網目部材を中開き状に横引き可能にしてなるために、……引違い戸の開閉幅に応じた開閉調整ができる。」（段落【００３０】）いう特有の効果を奏するものと認められる。
　したがって、本件発明は、甲第１号証〜甲第５号証記載のものに基いて当業者が容易に発明をすることができたものとすることはできない。
　
〔４〕むすび
　以上のとおりであるから、異議申立人の主張する理由及び提出した証拠方法によっては、本件発明についての特許を取り消すことはできない。
　また、他に本件発明についての特許を取り消すべき理由を発見しない。
　よって、結論のとおり決定する。
【異議決定日】
平成１５年８月２５日（２００３．８．２５）
【訂正の要旨】
審決（決定）の【理由】欄参照。
（５４）【発明の名称】
組付け網戸装置
（５７）【特許請求の範囲】
　【請求項１】
　建物の窓部等の開口枠にそれぞれ固定される第１及び第２の固定部材と、
　前記開口枠に組付けられる左右横方向にそれぞれ開閉移動可能な第１及び第２の可動部材を備え、
　これら第１及び第２の可動部材間に、前記第１及び第２の可動部材の開閉移動に追従して折畳み伸縮自在なプリーツ状の網目部材を設けた組付け網戸装置であって、
　前記第１及び第２の可動部材の対向させた収納空間の少なくともいずれか一方に、前記第１及び第２の可動部材の閉時における網目部材を折畳み状態で収納可能にし、
　前記第１及び第２の可動部材に、移動方向の揺動を防止するワイヤーテンション機構を設け、
　該ワイヤーテンション機構は、第１の固定部材と第２の固定部材との間に第１及び第２の可動部材を間に存して掛け渡される少なくとも１本のワイヤーからなることを特徴とする組付け網戸装置。
【発明の詳細な説明】
　【０００１】
　【産業上の利用分野】
　この発明は、例えば一般住宅あるいはオフィスビルなどの建物の窓部等の開口枠に組付けられる組付け網戸装置に関するものである。
　【０００２】
　【従来の技術】
　従来の網戸においては、例えば建物の窓部等の開口枠を形成するサッシ枠に、単体枠の全面に網目部材が張られた戸本体を、例えば引違い戸と共にスライド自在に組付けてなる構成を有するものがある。
　【０００３】
　【発明が解決しようとする課題】
　しかしながら、このような従来構造の網戸にあっては、使用期間が夏時期などに限られて短く、しかも、戸本体が全面に網目部材を張った単体枠からなるために、保管に際して、雨戸収納用の戸袋が付設されたサッシ枠では、戸袋を保管場所として利用しているものであるが、戸袋が無いものでは、サッシ枠から戸本体を取外して物置に収納したり、テラスやベランダなどに放置したり、あるいは、そのままサッシ枠に組付けた状態で放置しているのが現状である。
　【０００４】
　このため、従来では、網戸の保管収納場所に困り、特に、網戸をサッシ枠に組付けた状態で放置してなる場合には、網目部材の網目に塵や埃等が付着して汚れが目立ち易く、これによって、室内外の美観性を損なうばかりでなく、例えばテラスやベランダなどに通じるサッシ枠に組付けてなるものでは、出入りの邪魔になるとともに、網目によって室内への採光量が規制されてしまう。
　【０００５】
　また、網戸の使用に際して、戸本体の幅寸法が引違い戸の幅寸法に応じて固定されていることから、網戸自体による開閉調整が不可能であり、引違い戸の開閉幅に応じた網目幅しか使用することができず、これによって、引違い戸の全開状態では、対接する互いの枠間の密封性を保つことができるが、引違い戸の半開状態では、互いの枠間のずれによる隙間が生じ、この隙間から蚊や虫等が室内に侵入するという問題があった。
　【０００６】
　【発明の目的】
　この発明の目的は、建物の窓部等の開口枠への組付けが容易にかつ簡便に行なえ、しかも、別途に保管場所を必要とすることなく保管収納することができるようにするとともに、出入りの邪魔になったり、室内への採光量を規制することがないようにした組付け網戸装置を提供することにある。
　【０００７】
　【課題を解決するための手段】
　上記した課題を解決するために、この発明は、建物の窓部等の開口枠にそれぞれ固定される第１及び第２の固定部材と、前記開口枠に組付けられる左右横方向にそれぞれ開閉移動可能な第１及び第２の可動部材を備え、これら第１及び第２の可動部材間に、前記第１及び第２の可動部材の開閉移動に追従して折畳み伸縮自在なプリーツ状の網目部材を設けた組付け網戸装置であって、前記第１及び第２の可動部材の対向させた収納空間の少なくともいずれか一方に、前記第１及び第２の可動部材の閉時における網目部材を折畳み状態で収納可能にし、前記第１及び第２の可動部材に、移動方向の揺動を防止するワイヤーテンション機構を設け、該ワイヤーテンション機構は、第１の固定部材と第２の固定部材との間に第１及び第２の可動部材を間に存して掛け渡される少なくとも１本のワイヤーからなることを特徴とする組付け網戸装置にしたものである。
　【０００８】
　【作用】
　すなわち、この発明は、上記の構成を採用することにより、建物の窓部等の開口枠に組付けられる左右横方向にそれぞれ開閉移動可能な第１及び第２の可動部材間に、これら可動部材の開閉移動に追従して折畳み伸縮自在なプリーツ状の網目部材を設けてなるために、建物の窓部等の開口枠に固定部材を固定して組付け、かつ、可動部材を開閉移動自在に組付けるだけで、網戸として利用可能になり、しかも、開口枠への組付けが容易にかつ簡便に行なえる。
　【０００９】
　また、第１及び第２の可動部材の開閉移動に追従して網目部材を中開き状に横引き可能にしてなるために、上下縦方向の開閉操作と比較して、子供等のような背丈の低い者でも容易に開閉操作が行なえるとともに、引違い戸の開閉幅に応じた開閉調整が可能になる。
　【００１０】
　さらに、第１及び第２の可動部材の少なくともいずれか一方に、可動部材の閉時における網目部材を折畳み状態で収納可能にしてなるために、保管場所を別途に設ける必要がない。
　【００１１】
　さらにまた、第１及び第２の可動部材に、移動方向の揺動を防止するワイヤーテンション機構を設けてなるために、各々の可動部材の開閉移動操作が円滑に行なえる。
　【００１２】
　【実施例】
　以下、この発明を図示の実施例を参照しながら詳細に説明すると、図２はこの発明に係る組付け網戸装置が組付けられた建物の窓部を示し、図中１は窓部の開口枠を形成するサッシ枠本体である。
　【００１３】
　このサッシ枠本体１は、図３及び図４に示すように、互いに対向する左右一対の縦枠２，３と上下横枠４，５とからなる枠組み構成を有するとともに、第１及び第２の戸枠部６，７と後述する組付け網戸装置本体１０が両開き状に組み込まれる第３の網戸組付け枠部８とが室内側から室外側に向け順に一体形成されている。
　【００１４】
　そして、前記サッシ枠本体１の第１及び第２の戸枠６，７の上下ガイドレール６Ａ，６Ｂ及び７Ａ，７Ｂには、左右横方向Ｘに向け横引き開閉自在な左右一対の引違い戸１００，２００が組み込まれている。
　【００１５】
　すなわち、上記の組付け網戸装置本体１０は、図１に示すように、第１及び第２の固定部材１１，１２と第１及び第２の可動部材１３，１４を備え、これらの第１及び第２の可動部材１３，１４間には、両端部１５ａ，１５ｂを前記１及び第２の可動部材１３，１４側にそれぞれ固着したポリエステル樹脂等の糸で編成してなるプリーツ状の網目部材１５が設けられている。
　【００１６】
　この網目部材１５は、前記第１及び第２の可動部材１３，１４の左右横方向の開閉移動（図１、図２及び図４に示す実線矢印Ｘ方向）に追従して折畳み伸縮自在に中開き状に横引き可能になっているとともに、前記第１及び第２の可動部材１３，１４の閉状態において、前記第１及び第２の可動部材１３，１４に対向させた収納空間１３Ａ，１４Ａの少なくともいずれか一方に折畳み収納可能になっているものである。
　【００１７】
　また、前記組付け網戸装置本体１０を構成する第１及び第２の可動部材１３，１４には、ワイヤーテンション機構２０が設けられ、このワイヤーテンション機構２０は、図５に示すような構成となっている。
　【００１８】
　すなわち、一端２１ａが第１の固定部材１１の上端部に固定Ａされた１本のワイヤー２１を、第１の固定部材１１と第１の可動部材１３との間に平行に、かつ、第１の固定部材１１と第１の可動部材１３との間の網目部材１５の折り目間に交互に通す。
　【００１９】
　この第１の網目部材１５の折り目間に交互に通された平行な第１の平行ワイヤー２１Ａは、第１の可動部材１３の上端部に挿入されて下部に向け折り返され、この第２の折返しワイヤー２１Ｂは、第１の可動部材１３の下部から第２の可動部材１４の下部に向け平行に延出されるとともに、この第３の平行な延出ワイヤー２１Ｃを第２の可動部材１４内の下部から挿入し、これら第１，第２及び第３のワイヤー２１Ａ，２１Ｂ，２１ＣとでＺ型を呈するように掛け渡す。
　【００２０】
　このように、Ｚ型を呈するように掛け渡されて第２の可動部材１４内の下部から挿入された第３の延出ワイヤー２１Ｃは、上方に向け折り返されるとともに、この第４の折返しワイヤー２１Ｄは、前記第２の可動部材１４の上端部から第２の固定部材１２の上端部に向け平行に延出され、この第５のワイヤー２１Ｅと前記第３及び第４のワイヤー２１Ｃ，２１ＤとでＺ型を呈するように掛け渡す。
　【００２１】
　前記第５の平行な延出ワイヤー２１Ｅは、第２の固定部材１２の上端部に挿入されて下方に向け折り返され、この第６の折返しワイヤー２１Ｆは、前記第２の固定部材１２の下端部から第２の可動部材１４の下端部に向けて平行に延出される。
　【００２２】
　この第７の平行な延出ワイヤー２１Ｇは、前記第２の可動部材１４の下端部に再び挿入されて上方に向け折り返され、この第８の折返しワイヤー２１Ｈを前記第２の可動部材１４の上部から第１の可動部材１３の上部に向けて平行に延出させる。
　【００２３】
　さらに、この第９の平行な延出ワイヤー２１Ｉは、前記第１の可動部材１３の上部から挿入されて下方に向け折り返され、この第１０の折返しワイヤー２１Ｊを前記第１の可動部材１３の下端部から第１の固定部材１１の下端部に向け平行に延出させ、この第１１の平行な延出ワイヤー２１Ｋと前記第９のワイヤー２１Ｉ及び第１０のワイヤー２１ＪとでＺ型を呈するように掛け渡す。
　【００２４】
　そして、前記第１１の平行な延出ワイヤー２１Ｋの延出端、すなわち、ワイヤー２１の他端２１ｂは、調整装置２２に保持され、この調整装置２２にてワイヤー２１の張力が第１及び第２の可動部材１３，１４の上下部に均等に作用するように調整した後、前記第２の固定部材１２内に挿入された第６の折返しワイヤー２１Ｆの途上を固定具２３にて固定Ｂしてなるものである。
　【００２５】
　このように、１本のワイヤー２１を組付け網戸装置本体１０の上下に交差させて掛け渡すことにより、組付け網戸装置本体１０のサッシ枠本体１への組付け状態において、第１及び第２の可動部材１３，１４の開閉移動時に、第１及び第２の可動部材１３，１４の上下部に作用する張力の差を相殺して、その移動方向の揺動を防止し、これによって、第１及び第２の可動部材１３，１４の移動を円滑にし、かつ、任意の位置での停止を可能にしている。
　【００２６】
　ところで、この発明に係る組付け網戸装置本体１０を前記サッシ枠本体１に組付けるには、図１、図３及び図４に示すように、前記網戸１０を構成する第１及び第２の固定部材１１，１２の裏面１１ａ，１２ａと、前記サッシ枠本体１を構成する左右縦枠２，３の網戸組付け枠部８を形成する内面２ａ，３ａとの双方に、ファスナ（商品名：マジックテープ）３１，３２をそれぞれ取付けておき、このファスナ３１，３２を介して前記第１及び第２の固定部材１１，１２を着脱可能に組付け得るようになっているものである。
　【００２７】
　このようなファスナ３１，３２による取付けによって、前記組付け網戸装置本体１０のサッシ枠本体１への組付けを容易にかつ簡便にするとともに、組付け網戸装置本体１０の補修・交換に対する便宜性を図っている。
　【００２８】
　なお、上記の実施例においては、建物の開口枠として、引違い戸用サッシ枠を例にして説明したが、例えば建物の勝手口などの扉用サッシ枠やサッシ枠に組み込まれる額縁などにも応用することが可能であることは云うまでもない。
　【００２９】
　【発明の効果】
　以上の説明から明らかなように、この発明は、建物の窓部等の開口枠に組付けられる左右横方向にそれぞれ開閉移動可能な第１及び第２の可動部材間に、これら可動部材の開閉移動に追従して折畳み伸縮自在なプリーツ状の網目部材を設けてなる構成としてなることから、窓等の開口枠に固定部材を固定して組付け、かつ、可動部材を開閉移動自在に組付けるだけで、網戸として利用することができ、しかも、開口枠への組付けを容易にかつ簡便に行なうことができる。
　【００３０】
　また、第１及び第２の可動部材の開閉移動に追従して網目部材を中開き状に横引き可能にしてなるために、上下縦方向の開閉操作と比較して、子供等のような背丈の低い者でも容易に開閉操作を行なうことができるとともに、引違い戸の開閉幅に応じた開閉調整ができる。
　【００３１】
　さらに、第１及び第２の可動部材の少なくともいずれか一方に、可動部材の閉時における網目部材を折畳み状態で収納可能にしてなるために、保管場所を別途に設ける必要がなく、しかも、従前のような出入りの邪魔になったり、室内への採光量を規制することがない。
　【００３２】
　また、第１及び第２の可動部材に、移動方向の揺動を防止するワイヤーテンション機構を設けてなるために、可動部材の開閉移動操作を円滑に行なえるとともに、可動部材を任意の位置で停止させることができる。
【図面の簡単な説明】
　【図１】
　この発明に係る組付け網戸装置の一実施例を示す斜視図。
　【図２】
　同じく建物の窓部等の開口枠への組付け網戸装置本体の組付け状態を示す説明図。
　【図３】
　図２のイ−イ線における縦断面図。
　【図４】
　図２のロ−ロ線における横断面図。
　【図５】
　同じく組付け網戸装置本体のワイヤーテンション機構を概略的に示す説明図。
　【符号の説明】
　１・・・開口枠（サッシ枠本体）、
　１０・・・組付け網戸装置本体、
　１１・・・第１の固定部材、
　１２・・・第２の固定部材、
　１３・・・第１の可動部材、
　１４・・・第２の可動部材、
　１５・・・網目部材、
　２０・・・ワイヤーテンション機構、
　２１・・・ワイヤー、
　Ｘ・・・開閉方向。